(57)【要約】【課題】副走査方向にキャリッジを移動させる場合、筐体内の温度が場所により異なる状態でも、ランプ光量の変化による濃度ムラが画像データに生じないようする。【解決手段】画像読取装置は、コンタクトガラス、ランプ、キャリッジ、イメージセンサー、画像データ生成部、移動機構、光量基準板、読取制御部を含む。光量基準板はコンタクトガラスの副走査方向の一方の端辺に沿って設けられる。画像データ生成部は、光量基準板の読み取りにより基準板読取データを生成する。読取制御部は、基準板読取データの各画素の値が基準画素値となるように、１ラインの読取でのランプの合計光量を調整する。【選択図】図６
2019208186.tif 000002
【特許請求の範囲】
【請求項１】
原稿がセットされるコンタクトガラスと、
前記コンタクトガラスの一面にセットされた原稿に主走査方向に沿って光を照射するランプと、
前記ランプを含むキャリッジと、
原稿の反射光を受光して原稿を読み取るイメージセンサーと、
前記イメージセンサーの出力に基づき画像データを生成する画像データ生成部と、
前記コンタクトガラスの他面側で前記キャリッジを副走査方向に移動する移動機構と、
前記コンタクトガラスの他面側に設けられた光量基準板と、
前記ランプの光量を調整する読取制御部と、を備え、
前記光量基準板は、
前記コンタクトガラスの副走査方向の一方の端辺に沿って設けられ、
主走査方向において、前記コンタクトガラスの前記一面の外側に設けられ、
前記イメージセンサーは、読取範囲が前記コンタクトガラスの主走査方向の幅よりも広く、前記光量基準板を読み取り可能であり、
前記画像データ生成部は、前記光量基準板の読み取りにより得られた画像データである基準板読取データを生成し、
前記読取制御部は、前記基準板読取データの各画素の値が予め定められた基準画素値となるように、１ラインの読取での前記ランプの合計光量を調整することを特徴とする画像読取装置。
【請求項２】
前記読取制御部は、
原稿読取と同時に前記光量基準板を前記イメージセンサーに読み取らせ、
１ラインごとに前記基準板読取データの画素値を認識し、
認識した画素値が前記基準画素値よりも暗いとき、１ラインの読取での前記合計光量を増やし、
認識した画素値が前記基準画素値よりも明るい場合、１ラインの読取での前記合計光量を減らすことを特徴とする請求項１に記載の画像読取装置。
【請求項３】
前記読取制御部は、
新たな原稿の読取を開始する前の読み取りで得られた前記基準板読取データに基づき、各ラインでの前記ランプの点灯パターンを定めた点灯パターンデータを生成し、
前記基準板読取データの各画素の画素値が前記基準画素値となるように前記点灯パターンデータを生成し、
前記点灯パターンデータに基づき、１ラインの読取での前記合計光量を調整することを特徴とする請求項１に記載の画像読取装置。
【請求項４】
前記読取制御部は、前記ランプに供給する電流の電流値を変化させることにより、１ラインの読取での前記合計光量を調整することを特徴とする請求項１乃至３の何れか１項に記載の画像読取装置。
【請求項５】
前記読取制御部は、前記ランプに一定の電流を供給し、１ライン中の前記ランプの点灯時間を調整することにより、１ラインの読取での前記合計光量を調整することを特徴とする請求項１乃至３の何れか１項に記載の画像読取装置。
【請求項６】
前記ランプを含む筐体と、
前記筐体の下方に設けられ、トナーを用いて印刷を行う印刷部と、を含むことを特徴とする請求項１乃至５の何れか１項に記載の画像読取装置。
【発明の詳細な説明】
【技術分野】
【０００１】
本発明は、原稿を読みとって画像データを生成する画像読取装置に関する。
【背景技術】
【０００２】
画像読取装置は、原稿をイメージセンサーで読み取る。複合機や複写機は画像読取装置の一種である。画像読取装置は原稿に光を照射するランプを含む。原稿の反射光に基づき、イメージセンサーが原稿を読み取る。ランプの光量は生成される画像データに影響を与える。光量が少ない場合、画像データは全体的に暗くなる。ランプの光量を調整する画像読取装置がある。このような画像読取装置の一例が特許文献１に記載されている。
【０００３】
特許文献１には、自己発熱、環境条件変化、経時変化により原稿読み取り中の光量が変化する特性を持つ光源と、受光部および転送レジスタを含むＣＣＤを備え、光源からの光で原稿を照射し、原稿による反射光をＣＣＤの受光部によって光電変換し、得られた信号電荷をＣＣＤの転送レジスタを通して出力して画像読み取りを行い、ＣＣＤの出力値が画質を保証できるレベルを下回ったとき、ＣＣＤの蓄積時間を延長するとともに、蓄積時間の延長量に応じて、画像読み取りのための光源と原稿との間の相対的な移動速度を低下させる画像読取装置が記載されている。この構成により、通常の調光制御では読取画像のＳ／Ｎ比を保証できないレベルまで光源の光量が低下しても、読取動作を実行できるようにしようとする（特許文献１：請求項１、段落［０００４］参照）。
【先行技術文献】
【特許文献】
【０００４】
【特許文献１】特開２０００−１６５６０９号公報
【発明の概要】
【発明が解決しようとする課題】
【０００５】
画像読取装置には、ランプが取り付けられたキャリッジを移動させて原稿を読み取るものがある。このような画像読取装置は、筐体内にキャリッジやキャリッジを移動させるための部材が設けられる。例えば、筐体の上面に原稿をセットするためのコンタクトガラスが取り付けられる。使用者はコンタクトガラスに原稿を置く。読み取り時、キャリッジが副走査方向に移動し、ランプの照射位置が移動する。そして、イメージセンサーは１ラインずつ原稿を読み取る。
【０００６】
ここで、筐体内の温度が、副走査方向（キャリッジの移動方向）で異なることがある。言い換えると、筐体内の温度は場所により異なることがある。例えば、複合機、複写機のような印刷可能な画像読取装置では、筐体に隣接して印刷機構が設けられることがある。例えば、トナーを用いて印刷する場合、加熱によりトナーを用紙に定着させるためのヒーターが設けられる。このような装置では、筐体のうち、ヒーターに近い部分は、熱を多く受ける。筐体のうち、ヒーターから遠い部分は、受ける熱が少ない。
【０００７】
ランプの光量は温度の影響を受ける。筐体内の温度が場所により異なる場合、キャリッジの移動中（読み取り中）に、ランプの光量が変化する場合がある。光量変化により、画像データの画質に影響が出る場合がある。例えば、光量が落ちているときに読み取られた画素は、光量が落ちていないときに読み取られた画素よりも暗くなる。筐体内の温度差により、画像データにムラが出る場合があるという問題がある。
【０００８】
特許文献１に記載の装置は、以上なランプの性能低下時に、１ラインの読み取り時間を延長する。しかし、筐体内の温度差に対処するための記載はない。筐体内の温度差によりランプの光量が変化した場合、画像データに濃度のムラがでる場合がある。従って、特許文献１記載の技術では、上記の問題を解決することはできない。
【０００９】
上記従来技術の問題点に鑑み、本発明は、キャリッジを副走査方向に移動させる読取の場合、筐体内の温度が場所により異なる状態でも、ランプ光量の変化による濃度ムラが画像データに生じないようする。
【課題を解決するための手段】
【００１０】
本発明に係る画像読取装置は、コンタクトガラス、ランプ、キャリッジ、イメージセンサー、画像データ生成部、移動機構、光量基準板、読取制御部を含む。前記コンタクトガラスには、原稿がセットされる。前記ランプは、前記コンタクトガラスの一面にセットされた原稿に主走査方向に沿って光を照射する。前記キャリッジは前記ランプを含む。前記イメージセンサーは、原稿の反射光を受光して原稿を読み取る。前記画像データ生成部は、前記イメージセンサーの出力に基づき画像データを生成する。前記移動機構は、前記コンタクトガラスの他面側で前記キャリッジを副走査方向に移動する。前記光量基準板は、前記コンタクトガラスの他面側に設けられる。前記読取制御部は、前記ランプの光量を調整する。前記光量基準板は、前記コンタクトガラスの副走査方向の一方の端辺に沿って設けられる。前記光量基準板は、主走査方向において、前記コンタクトガラスの前記一面の外側に設けられる。前記イメージセンサーは、読取範囲が前記コンタクトガラスの主走査方向の幅よりも広く、前記光量基準板を読み取り可能である。前記画像データ生成部は、前記光量基準板の読み取りにより得られた画像データである基準板読取データを生成する。前記読取制御部は、前記基準板読取データの各画素の値が予め定められた基準画素値となるように、１ラインの読取での前記ランプの合計光量を調整する。
【発明の効果】
【００１１】
本発明によれば、キャリッジ移動中にランプの周囲温度が変化しても、画像データに濃度ムラが生じないようにする。読取中のランプの光量の変化を防ぐことができる。
【図面の簡単な説明】
【００１２】
【図１】実施形態に係る複合機の一例を示す図である。
【図２】実施形態に係る複合機の一例を示す図である。
【図３】実施形態に係る画像読取部の一例を示す図である。
【図４】実施形態に係る画像読取部の一例を示す図である。
【図５】画像読取部の筐体（テーブル読取用コンタクトガラス、送り読取用コンタクトガラス）を上側（一面側）から見た図である。
【図６】実施形態に係る基準板読取データに基づく光量調整の一例を示す図である。
【図７】実施形態に係る複合機での１ラインの読み取りの一例を示す図である。
【図８】実施形態に係る調整用テーブルの一例を示す図である。
【図９】実施形態に係るランプの光量調整のタイミングの一例を示す図である。
【図１０】変形例に係る基準板読取データに基づく光量調整の一例を示す図である。
【図１１】変形例に係る調整用データの一例を示す。
【発明を実施するための形態】
【００１３】
以下、図１〜図１１を用いて、実施形態と変形例に係る画像読取装置を説明する。画像読取装置として複合機１００を例に挙げて説明する。複合機１００は、原稿読取の他、印刷、送信が可能である。複合機１００は画像形成装置でもある。本実施形態の説明に記載されている構成、配置等の各要素は発明の範囲を限定せず単なる説明例にすぎない。
【００１４】
（複合機１００）
図１、図２を用いて、実施形態に係る複合機１００の一例を説明する。図１、図２は、実施形態に係る複合機１００の一例を示す図である。
【００１５】
複合機１００は、制御部１、画像読取部２、原稿搬送部３、記憶部４、操作パネル５、印刷部６、通信部１ｃを含む。図１に示すように、複合機１００の上部に原稿搬送部３が設けられる。原稿搬送部３の下方に画像読取部２が設けられる。画像読取部２の下方は本体部１０１となっている。本体部１０１内に、制御部１、記憶部４、印刷部６、通信部１ｃが設けられる。操作パネル５は、画像読取部２の前面側に取り付けられる。
【００１６】
制御部１は、複合機１００を制御する。制御部１はＣＰＵ１ａと画像処理回路１ｂを含む。記憶部４は、ＲＯＭ、フラッシュＲＯＭ、ストレージ（ＨＤＤ）のような不揮発性の記憶装置を含む。記憶部４はＲＡＭのような揮発性の記憶装置も含む。制御部１は、記憶部４に記憶されたプログラムやデータを利用して各部を制御する。コピーや送信のようなジョブにおいて、制御部１は原稿読取を制御する。また、制御部１は印刷、送信、画像データの記憶を制御する。画像処理回路１ｂは画像データに画像処理を行う。
【００１７】
操作パネル５は、表示パネル５１、タッチパネル５２、ハードキー５３を含む。制御部１は設定用画面や操作用画像を表示パネル５１に表示させる。制御部１は表示パネル５１の表示を制御する。操作用画像は、例えば、ボタン、キー、タブである。タッチパネル５２の出力に基づき、制御部１は、操作された操作用画像を認識する。ハードキー５３はスタートキーやテンキーを含む。タッチパネル５２、ハードキー５３は使用者の設定操作（ジョブに関する操作）を受け付ける。制御部１は操作パネル５と通信する。制御部１は設定内容を認識する。
【００１８】
印刷部６は、給紙部６ａ、用紙搬送部６ｂ、画像形成部６ｃ、定着部６ｄを含む。印刷ジョブのとき、制御部１は用紙を給紙部６ａに供給させる。制御部１は用紙を用紙搬送部６ｂに搬送させる。用紙搬送部６ｂは印刷済み用紙を機外に排出する。制御部１は画像データに基づくトナー像を画像形成部６ｃに形成させる。制御部１は搬送用紙へのトナー像の転写を画像形成部６ｃに行わせる。制御部１は転写されたトナー像の用紙への定着を定着部６ｄに行わせる。定着部６ｄはトナー像を加熱、加圧する。加熱のため、定着部６ｄはヒーター６１を含む。
【００１９】
通信部１ｃはコンピューター２００と通信可能に接続される。通信部１ｃとコンピューター２００は、ネットワークを介して通信する。通信部１ｃは、通信用回路、通信用ソフトウェアを含む。通信部１ｃはコンピューター２００から送信された印刷用データを受信する。印刷用データはページ記述言語で記述されたデータや印刷の設定データを含む。制御部１は受信した印刷用データに基づき、印刷部６に印刷させる（プリントジョブ）。
【００２０】
（画像読取部２）
次に、図３、３を用いて、実施形態に係る画像読取部２を説明する。図３、図４は、実施形態に係る画像読取部２の一例を示す図である。図３は、実施形態に係る画像読取部２を正面方向から見た図である。
【００２１】
図３に示すように、原稿搬送部３が画像読取部２の上方に設けられる。送り読取を行うとき、使用者は原稿を原稿搬送部３にセットする。原稿搬送部３はセットされた原稿を搬送する装置である。原稿搬送部３はＤＰやＡＤＦと略称されることもある。
【００２２】
原稿搬送部３はセット原稿を１枚ずつ搬送する。原稿搬送部３は送り読取用コンタクトガラス２ａ（読み取り位置）に向けて原稿を搬送する。送り読取用コンタクトガラス２ａは画像読取部２の上面に設けられる。送り読取用コンタクトガラス２ａは透明である。原稿搬送部３は、原稿搬送方向上流側から順に、原稿トレイ３ａ、供給ローラー３ｂ、原稿搬送路３ｃ、複数の搬送ローラー対３ｄ、排出ローラー対３ｅ、排出トレイ３ｆを含む。原稿は原稿搬送路３ｃを通る。供給ローラー３ｂ、複数の搬送ローラー対３ｄ、排出ローラー対３ｅは、原稿を１枚ずつ排出トレイ３ｆに向けて搬送する。
【００２３】
画像読取部２の上面右側にテーブル読取用コンタクトガラス２ｂ（原稿台）が配される。テーブル読取用コンタクトガラス２ｂは透明である。テーブル読取を行うとき、使用者はテーブル読取用コンタクトガラス２ｂの一面（上側の面）に原稿をセットする。例えば、書籍や雑誌のような搬送できない原稿がテーブル読取用コンタクトガラス２ｂにセットされる。原稿搬送部３は開閉できる。複合機１００の正面側（手前側）を上下に振るように、原稿搬送部３を開閉することができる。図３は、原稿搬送部３が閉じられた状態を示す。原稿搬送部３の下面には、押さえ板３ｇが取り付けられる（図１参照）。押さえ板３ｇは、例えば、白色の板である。原稿搬送部３を閉じたとき、押さえ板３ｇはテーブル読取用コンタクトガラス２ｂを上から覆う。押さえ板３ｇは、テーブル読取用コンタクトガラス２ｂにセットされた原稿を上から押さえる。原稿搬送部３は原稿を押さえるカバーとして機能する。
【００２４】
図４に示すように、画像読取部２は読取制御部２０を含む。読取制御部２０は画像読取部２の動作を制御する基板である。読取制御部２０は制御回路２０ａ、読取記憶部２０ｂ、点灯時間保持部２０ｃ、電流値保持部２０ｄ、電流供給回路２０ｅを含む。読取制御部２０は制御部１からの指示、信号を受け、原稿読取を制御する。読取記憶部２０ｂはＲＡＭ、ＲＯＭを含む。読取記憶部２０ｂは、データ、プログラム、各種設定値を記憶する。
【００２５】
点灯時間保持部２０ｃは、１ラインの読み取り中にランプ７を点灯させる時間（ランプ点灯時間Ｔ１）を保持するメモリーである。電流値保持部２０ｄは、ランプ７（光源）点灯時にランプ７に供給する電流の電流値を保持するメモリーである。電力供給回路はランプ７に電流を供給し、ランプ７を点灯させる回路である。
【００２６】
図３に示すように、画像読取部２は、筐体２１内に、キャリッジ２２、白基準板２３、移動機構２４を含む。移動機構２４は、ベルト２４ａ、プーリー２４ｂ、プーリー２４ｃ、移動用モーター２４ｄを含む。キャリッジ２２はＣＩＳ方式のスキャンユニットである。画像読取部２は、ＣＣＤ方式のスキャンユニットを有してもよい。
【００２７】
ベルト２４ａは無端状である。ベルト２４ａは各プーリー２４ｂにかけ回される。ベルト２４ａとキャリッジ２２は接続される。移動用モーター２４ｄが画像読取部２に設けられる（図４参照）。移動用モーター２４ｄはプーリー２４ｂ又はプーリー２４ｃを回転させる。移動用モーター２４ｄは正逆回転可能である。キャリッジ２２を移動させるとき、読取制御部２０は移動用モーター２４ｄを回転させる。これにより、ベルト２４ａが周回する。ベルト２４ａの周回にあわせ、キャリッジ２２は水平方向（副走査方向、図３の左右方向）で移動する。キャリッジ２２は、テーブル読取用コンタクトガラス２ｂの他面側（下側）で移動する。
【００２８】
テーブル読取用コンタクトガラス２ｂと送り読取用コンタクトガラス２ａの間に白基準板２３が設けられる。白基準板２３は、キャリッジ２２のホームポジション上に設けられる。白基準板２３は、キャリッジ２２がホームポジションにあるときに読取可能な位置に設けられる。複合機１００はホームポジションセンサー２５を含む。ホームポジションセンサー２５は、キャリッジ２２がホームポジションにあるときと無いときとで出力レベルが変化する。ホームポジションセンサー２５の出力は、読取制御部２０に入力される。読取制御部２０は、ホームポジションの出力レベルに基づき、キャリッジ２２がホームポジションにあるか否かを認識できる。
【００２９】
キャリッジ２２はランプ７とイメージセンサー７０を含む。キャリッジ２２は原稿を読み取る。ランプ７は、例えば、光源と導光管を含む。光源はＬＥＤである。導光管の一端、又は、両端にＬＥＤが取り付けられる。導光管は、端部から入手された光を管の長手方向（主走査方向）で均等に分散する。導光管は分散した光を原稿に向けて照射する。なお、ＬＥＤ以外の光源、ランプ７が用いられてもよい。
【００３０】
イメージセンサー７０は複数の受光素子（画素）を含む。受光素子は主走査方向（副走査方向と垂直な方向）に並べられる。イメージセンサー７０は、例えば、ラインセンサーである。原稿又は押さえ板３ｇで反射された光は、受光素子に入射する。各受光素子は、受光量（反射光量）に応じたアナログ画像信号を出力する。画像読取部２は画像データ生成部８を含む。イメージセンサー７０から出力されたアナログ画像信号に基づき、画像データ生成部８は画像データを生成する。
【００３１】
搬送される原稿を読み取るとき（送り読取のとき）、読取制御部２０はキャリッジ２２を副走査方向に移動させる。読取制御部２０は送り読取用コンタクトガラス２ａの下（他面側）にキャリッジ２２を移動させる。原稿は送り読取用コンタクトガラス２ａの上（一面側）を通過する。読取制御部２０は搬送される原稿をキャリッジ２２に読み取らせる。
【００３２】
テーブル読取用コンタクトガラス２ｂにセットされた原稿を読み取るとき（テーブル読取のとき）、読取制御部２０は、キャリッジ２２を副走査方向に移動させる。読取制御部２０は、ホームポジションからキャリッジ２２を移動させる。読取制御部２０は、ホームポジションから遠い方のテーブル読取用コンタクトガラス２ｂの端部までキャリッジ２２を移動させる。ランプ７はテーブル読取用コンタクトガラス２ｂの一面にセットされた原稿に光を照射する。ランプ７は主走査方向に沿って光を照射する。これにより、読取制御部２０は、読取ラインの位置を変化させつつ、載置された原稿をキャリッジ２２に読み取らせる。移動用モーター２４ｄは、例えば、ステッピングモーターである。例えば、１ステップで、１ドット（１ライン）分、キャリッジ２２が移動する。
【００３３】
画像データ生成部８は、例えば、Ａ／Ｄ変換回路８１、補正回路８２を含む。なお、画像データ生成部８は増幅回路、オフセット回路を含んでもよい。増幅回路は、アナログ画像信号を増幅する。オフセット回路は、アナログ画像信号のレベルを補正する。増幅やオフセット補正がなされたアナログ画像信号は、Ａ／Ｄ変換回路８１に入力される。Ａ／Ｄ変換回路８１は、入力されたアナログ画像信号をディジタルの画像信号に変換する。つまり、Ａ／Ｄ変換回路８１は、画像データを生成する。
【００３４】
生成された画像データは補正回路８２に入力される。ランプ７、イメージセンサー７０、画像データ生成部８の特性に起因して、画像データに歪みが生ずることがある。補正回路８２は、特性に起因する歪みを補正する回路である。例えば、補正回路８２は、シェーディング補正回路８３を含む。補正回路８２は他種の補正用回路を含んでもよい。
【００３５】
イメージセンサー７０の受光素子ごとに、白基準値と黒基準値が定められる。白基準値は白基準板２３を読み取ることで得られる。黒基準値は、ランプ７消灯時のイメージセンサー７０の出力に基づき得られる。シェーディング補正回路８３は、白基準値と黒基準値に基づき、シェーディング補正を行う。シェーディング補正回路８３は、黒基準値と白基準値に基づき、各画素の画素値について、シェーディング補正の演算を行う。シェーディング補正の演算式の一例は、以下のとおりである。補正画素値＝（補正前画素値−黒基準値）×｛最大画素値／（白基準値−黒基準値）｝。なお、シェーディング補正回路８３は他の演算式でシェーディング補正を行ってもよい。
【００３６】
（光量基準板９）
次に、図５を用いて、実施形態に係る光量基準板９の一例を説明する。図５は、実施形態に係る光量基準板９の設置の一例を示す図である。図５では、便宜状、原稿搬送部３の図示を省略している。図５は、画像読取部２の筐体２１（テーブル読取用コンタクトガラス２ｂ、送り読取用コンタクトガラス２ａ）を上側（一面側）から見た図である。
【００３７】
図５に示すように、原稿セットの基準位置Ｐ０が設けられる。テーブル読取用コンタクトガラス２ｂの隅のうち、背面側（奥側）、かつ、左側の隅が基準位置Ｐ０とされる。原稿の読み取る面は下側に向けられる。また、原稿の左上隅が、基準位置Ｐ０にあわせられる。テーブル読取用コンタクトガラス２ｂの左端部（副走査方向において、ホームポジションに近い方の端辺）の左側に白基準板２３が設けられる。
【００３８】
そして、画像読取部２には光量基準板９が設けられる。白基準板２３とは別に、光量基準板９が設けられる。光量基準板９は、例えば、白色で、細長い矩形状で、樹脂製の板である。光量基準板９はテーブル読取用コンタクトガラス２ｂの他面側（下側）に設けられる。言い換えると、光量基準板９は画像読取部２の筐体２１の内側に設けられる。
【００３９】
また、光量基準板９は、テーブル読取用コンタクトガラス２ｂの副走査方向の一方の端辺に沿って設けられる。図５は、テーブル読取用コンタクトガラス２ｂの奥側の端辺に沿って光量基準板９を設ける例を示す。光量基準板９は、テーブル読取用コンタクトガラス２ｂの前方側（手前側）の端辺に沿って設けられてもよい。光量基準板９の長手方向は副走査方向と平行である。光量基準板９の短手方向（主走査方向）の幅は、複数画素分ある。光量基準板９の副走査方向の長さは、テーブル読取用コンタクトガラス２ｂの副走査方向の長さ以上である。光量基準板９の一端は、副走査方向の基準位置Ｐ０にあわせてもよい。光量基準板９の他端は、テーブル読取用コンタクトガラス２ｂのホームポジションから遠い方の端辺の位置にあわせてもよい。光量基準板９は、主走査方向において、テーブル読取用コンタクトガラス２ｂの一面（原稿セット面）の外側に設けられる。光量基準板９は原稿及びテーブル読取用コンタクトガラス２ｂと重ならない位置に設けられる。
【００４０】
ただし、イメージセンサー７０（ランプ７、キャリッジ２２）は、光量基準板９を読み取ることができる。イメージセンサー７０の読取範囲は、テーブル読取用コンタクトガラス２ｂの主走査方向の幅よりも広い。更に、ランプ７は光量基準板９に光を照射できる。つまり、ランプ７の主走査方向の照射範囲は、テーブル読取用コンタクトガラス２ｂの主走査方向の幅よりも広い。画像読取部２が読み取る領域には、テーブル読取用コンタクトガラス２ｂと光量基準板９が含まれる。
【００４１】
画像データ生成部８は、光量基準板９の読み取りにより得られた画像データである基準板読取データ９０を生成する。基準板読取データ９０は、例えば、読取記憶部２０ｂに記憶される。読取制御部２０は、光量基準板９を読み取る受光素子の出力に基づき、基準板読取データ９０を生成する。
【００４２】
（基準板読取データ９０に基づく光量の調整）
次に、図６〜図９を用いて、実施形態に係る基準板読取データ９０に基づく光量調整の一例を説明する。図６は、実施形態に係る基準板読取データ９０に基づく光量調整の流れの一例を示す図である。図７は、実施形態に係る複合機１００での１ラインの読み取りの一例を示す図である。図８は実施形態に係る調整用テーブル９２の一例を示す図である。図９は、実施形態に係るランプ７の光量調整のタイミングの一例を示す図である。
【００４３】
画像読取部２の下方に印刷部６が設けられる（図１参照）。印刷部６はトナー像を形成し、形成したトナー像を用紙に転写する。さらに、印刷部６の定着部６ｄは、用紙にトナー像を定着させる。トナー像の定着のため、定着部６ｄはヒーター６１を含む。ヒーター６１はトナーが適切に溶ける温度（定着温度）で用紙を加熱する。定着温度は複合機１００の機種、使用するトナーの特性により異なる。通常、定着温度は１００度以上である。
【００４４】
画像読取部２の下側に定着部６ｄのヒーター６１が設けられる。ヒーター６１の長さは、印刷可能な用紙サイズの幅と同じ、又は、少し長い。ヒーター６１は、画像読取部２の筐体２１の副走査方向の中央下方に設けられる。画像読取部２の筐体２１は、ヒーター６１に近い部分と遠い部分がある。下方にヒーター６１がある部分は、ヒーター６１からの熱を受けやすい。ヒーター６１の熱を受けた部分では、空気が暖められ、温度が上がることがある。一方、筐体２１の底面のうち、ヒーター６１から遠い部分は、あまりヒーター６１の熱を受けない。筐体２１内部の空間のうち、暖められやすい部分（領域）と暖められにくい部分（領域）がある。その結果、筐体２１内部の温度分布にムラがでることがある。画像読取部２の筐体２１の内部では、場所により温度が異なることがある。
【００４５】
ランプ７の光量は温度の影響を受ける。一般に、周囲温度（環境温度）が高いほど、電子と正孔の再結合確率が低下するため、ＬＥＤの光量は低下する。そのため、副走査方向にキャリッジ２２を移動させた場合、場所により、ランプ７の光量が変化することがある。例えば、ホームポジションからテーブル読取用コンタクトガラス２ｂの中央に向かうに従い、ランプ７の光量が減る場合があり得る。また、キャリッジ２２のテーブル読取用コンタクトガラス２ｂの中央通過後、ランプ７の光量が次第に増える場合もあり得る。原稿読み取りのためのキャリッジ２２の移動中のランプ７の光量の変化は、画像データの画質に影響を与える。濃度ムラがわかるほど、キャリッジ２２の移動中にランプ７の光量が変化する場合がある。
【００４６】
そこで、複合機１００は、テーブル読取のとき、基準板読取データ９０に基づき、光量が一定になるように、ランプ７の光量を調整（補正）する。図６を用いて光量調整の流れを説明する。原稿読取にあわせ、キャリッジ２２（読取ラインの位置）が１画素移動するごとに、読取制御部２０は、図６のフローチャートを開始する。言い換えると、読取制御部２０は１ラインごとに、図６のフローチャートを繰り返す。図６のフローチャートを並行的に実行する。
【００４７】
図６のスタートは、テーブル読取において、ラインの読み取りを開始する時点である。読取制御部２０は、原稿（テーブル読取用コンタクトガラス２ｂ）とともに光量基準板９をキャリッジ２２（ランプ７、イメージセンサー７０）に読み取らせる（ステップ♯１１）。ここで、図７を用いて、ラインの読み取り動作を説明する。
【００４８】
図７の実線矢印は時間を示す。１ラインの読取時間は、予め定められる。複合機１００では、移動用モーター２４ｄ（ステッピングモーター）は１ステップにつき、１画素分、キャリッジ２２（読取ラインの位置）を移動させる。１ラインあたりの読取時間は、ステッピングモーターに入力される信号の周期とできる。
【００４９】
読取制御部２０は、１ラインの読取時間中、ずっとランプ７を点灯させる訳ではない。１ラインの読取時間内の一部の区間で、ランプ７を点灯させる。図７では、ランプ点灯時間Ｔ１の一例を２点鎖線で図示している。図７のｎは１以上の正の整数である。ランプ７消灯後、次のラインのランプ点灯開始までの間に、イメージセンサー７０の各受光素子の蓄積電荷が、アナログ画像信号として、画像データ生成部８に転送される。
【００５０】
画像データ生成部８は、基準板読取データ９０を生成する（ステップ♯１２）。本フローチャートでは、１ラインの読み取りに対応して、画像データ生成部８は、１画素分の基準板読取データ９０を生成する。１ラインの原稿読取ごとに、画像データ生成部８は、光量基準板９の１画素分の基準板読取データ９０を生成する。
【００５１】
光量基準板９の主走査方向の幅は、１〜数ｃｍである。光量基準板９の主走査方向の幅は複数画素分ある。従って、読取制御部２０は、複数の受光素子に光量基準板９を読み取らせることができる。この場合、光量基準板９を読み取った複数画素の画素値を得ることができる。読取制御部２０は、複数の画素値から１つを抽出してもよい。そして、読取制御部２０は、抽出した１つの画素値を基準板読取データ９０としてもよい。また、読取制御部２０は、複数の画素値の平均値を求めてもよい。そして、読取制御部２０は、求めた平均値を基準板読取データ９０としてもよい。
【００５２】
そして、読取制御部２０は、基準板読取データ９０の画素値が予め定められた基準画素値９１と同じか否かを確認する（ステップ♯１３）。例えば、読取記憶部２０ｂは基準画素値９１を不揮発的に記憶する（図４参照）。基準画素値９１は、理想的なランプ７の光量で、ランプ７を基準時間点灯させて、光量基準板９を読み取ったときに得られる基準板読取データ９０の画素値とできる。基準時間は予め定められる。
【００５３】
基準板読取データ９０の画素値が基準画素値９１よりも暗い場合、１ライン中の合計光量が足りていないことになる。基準板読取データ９０の画素値と基準画素値９１が等しい場合、１ライン中の合計光量は理想的な量といえる。基準板読取データ９０の画素値が基準画素値９１よりも明るい場合、１ライン中の合計光量が多いことになる。例えば、８ビット（０〜２５５、２５５が真っ白、０が真っ黒）の場合、基準画素値９１は、２４０〜２５０程度とできる。
【００５４】
基準板読取データ９０の画素値と基準画素値９１が同じとき（ステップ♯１３のＹｅｓ）、読取制御部２０は、光量を調整しないと決定する（ステップ♯１４）。そして、本フローは終了する。基準板読取データ９０の画素値と基準画素値９１が異なるとき（ステップ♯１３のＮｏ）、読取制御部２０は、基準板読取データ９０の画素値が基準画素値９１よりも明るい画素値か否かを確認する（ステップ♯１５）。
【００５５】
基準板読取データ９０の画素値が基準画素値９１よりも明るい画素値のとき（ステップ♯１５のＮｏ）、読取制御部２０は、次のランプ点灯時、１ラインの読取での合計光量を小さくすると決定する（ステップ♯１６）。基準板読取データ９０の画素値が基準画素値９１よりも暗い画素値のとき（ステップ♯１５のＮｏ）、読取制御部２０は、次のランプ点灯時、１ラインの読取での合計光量を大きくすると決定する（ステップ♯１７）。ステップ♯１６、ステップ♯１７の後、基準板読取データ９０の画素値と基準画素値９１の差の絶対値に基づき、次の１ライン中の合計光量を調整する（ステップ♯１８）。そして、本フローは終了する（エンド）。
【００５６】
ここで、１ラインの読み取り中に各受光素子が蓄積する電荷の量は、１ライン中のランプ点灯時間Ｔ１とランプ７の発光強度の影響を受ける。言い換えると、画像データの画素値は、１ライン中のランプ点灯時間Ｔ１とランプ７の発光強度の積に基づく。
【００５７】
そのため、読取制御部２０は、１ライン中のランプ点灯時間Ｔ１を調整することにより、１ラインの読取での合計光量を調整してもよい。この場合、読取制御部２０は、ランプ点灯時に供給される電流の電流値は各ラインで同じ大きさ（基準電流値）とされる。つまり、ランプ点灯時の電流値は固定である。
【００５８】
ランプ点灯時間Ｔ１で１ライン中の合計光量を調整する場合、読取制御部２０は、点灯時間保持部２０ｃに保持されるランプ点灯時間Ｔ１を１ラインごとに更新する。読取制御部２０は、原稿読取中（キャリッジ２２移動中）に、ランプ点灯時間Ｔ１を更新する。制御回路２０ａのメモリー（レジスタ）が点灯時間保持部２０ｃとして用いられてもよい。
【００５９】
読取記憶部２０ｂは、調整用テーブル９２を記憶する。調整用テーブル９２は、基準板読取データ９０の画素値と基準画素値９１の差の絶対値の大きさに対応するランプ点灯時間Ｔ１の変化量を定義したデータである。図８は実施形態に係る調整用テーブル９２の一例を示す図である。図８のＸは差の絶対値を示す。Ｘ１、Ｘ２、Ｘ３、Ｘ４は、境界値である。図８のＹ１〜Ｙ４はランプ点灯時間Ｔ１の変化量を示す。読取制御部２０は、差の絶対値と調整用テーブル９２に基づき、ランプ点灯時間Ｔ１の変化量を認識する。
【００６０】
１ラインの読取での合計光量を小さくすると決定したとき、読取制御部２０は、現在のランプ点灯時間Ｔ１を認識した時間だけ短くしたランプ点灯時間Ｔ１を求める。１ラインの読取での合計光量を大きくすると決定したとき、読取制御部２０は、現在のランプ点灯時間Ｔ１を認識した時間だけ長くしたランプ点灯時間Ｔ１を求める。読取制御部２０は、求めたランプ点灯時間Ｔ１を新たに点灯時間保持部２０ｃに記憶させる。読取制御部２０は、点灯時間保持部２０ｃに保持されるランプ点灯時間Ｔ１を更新する。読取制御部２０は、次のライン読取中のランプ点灯では、更新後のランプ点灯時間Ｔ１の間、ランプ７の点灯を続ける。なお、原稿の最初のライン（先頭ライン）から複数ラインでは、読取制御部２０は、１ラインの読取中のランプ点灯時間Ｔ１を基準時間とする。
【００６１】
また、点灯時にランプ７（光源）に供給する電流の電流値を調整することにより、読取制御部２０は１ラインの読取での合計光量を調整してもよい。この場合、読取制御部２０は、ランプ点灯時間Ｔ１を基準時間とする。つまり、ランプ点灯時間Ｔ１が固定される。電流値で１ライン中の合計光量を調整する場合、電流調整回路はランプ７に供給する電流の電流値を変える。この場合、電流調整回路は、例えば、ＤＡコンバーターである。読取制御部２０は、供給すべき電流の電流値を電流調整回路に指示する。電流値保持部２０ｄは、調整後の電流値を記憶するメモリーである。
【００６２】
読取記憶部２０ｂは調整用テーブル９２を記憶する。調整用テーブル９２は、基準板読取データ９０の画素値と基準画素値９１の差の絶対値の大きさに対応する電流値の変化量を定義したデータである。図８は実施形態に係る調整用テーブル９２の一例を示す図である。図８のＺ１〜Ｚ４は電流値の変化量を示す。読取制御部２０は、差の絶対値に基づき、電流値の変化量を認識する。
【００６３】
１ラインの読取での合計光量を小さくすると決定したとき、読取制御部２０は、認識した変化量だけ現在の電流値を小さくして、新たな電流値を求める。１ラインの読取での合計光量を大きくすると決定したとき、読取制御部２０は、認識した変化量だけ現在の電流値を大きくして、新たな電流値を求める。読取制御部２０は、新たな電流値を電流値保持部２０ｄに記憶させる。読取制御部２０は、電流値保持部２０ｄに保持される電流の電流値を更新する。読取制御部２０は、次のランプ点灯では、更新後の電流値（電流の電流値）で、ランプ７に電流を供給する。
【００６４】
次に、図９を用いて、調整が反映されるタイミングの一例を説明する。図９の上側は、ランプ７の点灯タイミングの一例を示す。図９の上側は、画像データの出力タイミングの一例を示す。電荷蓄積のため、１ラインの読み取り中、一部の期間でランプ７が点灯される。電荷蓄積期間（ランプ点灯時間Ｔ１）の終了後、各受光素子のアナログ画像信号に基づく画像データの生成が開始される。また、１ラインの読取での合計光量を変えるための演算がなされる。点灯中のランプ７の光量を調整することはできない。図９は、ｎライン目（ｎは正の整数）でのランプ点灯及び光量基準板９の読み取りに基づく調整がｎ＋２ライン目に反映される例を示す。
【００６５】
しかし、例えば、読取解像度が３００ｄｐｉの場合、１ライン（１画素）のピッチは、０．０８５ｍｍである。２ラインの間隔は、０．１７ｍｍである。０．１７ｍｍの移動の間に、ランプ７周辺の温度が劇的に変化することはない。従って、調整の反映が数ライン程度遅れても、問題はない。
【００６６】
（変形例）
次に、図１０を用いて、変形例に係る複合機１００の一例を説明する。図１０は、変形例に係る基準板読取データ９０に基づく光量調整の流れの一例を示す図である。図１１は、変形例に係る調整用テーブル９２の一例を示す。
【００６７】
副走査方向へのキャリッジ２２の移動（原稿読取）と同時に、光量基準板９を読み取って、１ラインの読み取りでの合計光量を調整する例を説明した。変形例では、これから読み取る原稿の以前に光量基準板９を読み取って得られた基準板読取データ９０に基づき光量を調整する。変形例に係る複合機１００は、この点以外は上述の実施形態で説明した複合機１００と同様の構成を有する。
【００６８】
図１０のスタートは、光量基準板９の読み取りを開始する時点である。光量基準板９の読み取りは周期的に行われてもよい。例えば、１〜数分に１度、実行されてもよい。また、テーブル読取により原稿読取を開始する直前に行われてもよい。この場合、光量基準板９の読取が行われてから、原稿読取が行われる。
【００６９】
読取制御部２０はキャリッジ２２を移動させる（ステップ♯２１）。読取制御部２０は、ホームポジションから光量基準板９のホームポジションから遠い方の端部まで副走査方向にキャリッジ２２を移動させる。移動にあわせ、読取制御部２０は、光量基準板９を端から端までキャリッジ２２（ランプ７、イメージセンサー７０）に読み取らせる（ステップ♯２２）。言い換えると、読取制御部２０は、光量基準板９の全体をキャリッジ２２に読み取らせる。このとき、読取制御部２０は、各ラインでのランプ点灯時間Ｔ１を同じ時間（基準時間）とする。また、読取制御部２０は、ランプ点灯時にランプ７に供給する電流値を全てのラインで同じ値（基準電流値）とする。
【００７０】
読み取りに基づき、画像データ生成部８は、基準板読取データ９０を生成する（ステップ♯２３）。変形例では、基準板読取データ９０は、副走査方向のラインの画像データである。基準板読取データ９０は、副走査方向に並ぶ複数の画素を含む。副走査方向の画素数は、光量基準板９の副走査方向の長さを読取解像度のピッチで除した値となる。
【００７１】
また、光量基準板９の主走査方向の幅は、１〜数ｃｍである。光量基準板９の主走査方向の幅は複数画素分ある。読取制御部２０は、複数の受光素子に光量基準板９を読み取らせることができる。この場合、光量基準板９を読み取ることにより、副走査方向のラインの束の画像データを得ることができる。読取制御部２０は、束から副走査方向のラインを１本のみ抽出してもよい。そして、読取制御部２０は、抽出した１本のラインの画像データを基準板読取データ９０としてもよい。
【００７２】
また、副走査方向のラインの束の画像データの画素値を平均して、基準板読取データ９０を生成してもよい。例えば、読取制御部２０は、副走査方向の位置が同じ複数の画素の平均値を求める。言い換えると、読取制御部２０は、主走査方向に並ぶ複数の画素の画素値の平均値を求める。読取制御部２０は、副走査方向の位置ごとの平均値を順番に並べたデータを基準板読取データ９０として生成してもよい。
【００７３】
読取制御部２０は、基準画素値９１と基準板読取データ９０の各画素の画素値を比較して、点灯パターンデータ９３を生成する（ステップ♯２４）。読取制御部２０は、生成した点灯パターンデータ９３を読取記憶部２０ｂに記憶させる（ステップ♯２５、図４参照）。点灯パターンデータ９３は各ラインの読み取りでのランプ７の点灯パターンを示す。そして、本フローは終了する（エンド）。
【００７４】
基準板読取データ９０のある画素の画素値が基準画素値９１よりも暗い場合、そのラインでは、合計光量が足りていないといえる。基準板読取データ９０のある画素の画素値と基準画素値９１が等しい場合、そのラインでは、合計光量が理想的といえる。基準板読取データ９０のある画素の画素値が基準画素値９１よりも明るい場合、そのラインでは、合計光量が多いといえる。
【００７５】
読取制御部２０は、１ライン中のランプ点灯時間Ｔ１を調整することにより、１ラインの読取での合計光量を調整してもよい。変形例でも、読取制御部２０は、ランプ点灯時にランプ７に供給される電流の電流値は各ラインで同じ大きさとされる（基準電流値）。
【００７６】
ランプ点灯時間Ｔ１で１ライン中の合計光量を調整する場合、読取制御部２０は、各ラインでのランプ点灯時間Ｔ１を示すデータを点灯パターンデータ９３として生成する。読取制御部２０は、基準板読取データ９０の各画素に対応するランプ点灯時間Ｔ１を定める。読取制御部２０は、光量基準板９を読み取ったとき、基準板読取データ９０の各画素値が基準画素値９１となるように、各ラインのランプ点灯時間Ｔ１を定める。
【００７７】
読取記憶部２０ｂは、調整用テーブル９２を記憶する。変形例の調整用テーブル９２は、基準板読取データ９０の画素値に対応するランプ点灯時間Ｔ１を定義したデータである。図１１は実施形態に係る調整用テーブル９２の一例を示す図である。図１１のＡは基準板読取データ９０の画素の画素値を示す。Ａ０〜Ａ４は、境界値である。図１１のＢ１〜Ｂ４は対応するランプ点灯時間Ｔ１を示す。読取制御部２０は、基準板読取データ９０の画素の画素値と、調整用テーブル９２に基づき、各ライン（各画素）の読み取り時のランプ点灯時間Ｔ１を定める。
【００７８】
基準板読取データ９０の画素の画素値が基準画素値９１よりも暗いラインでは、読取制御部２０は、１ラインの読取での合計光量が光量基準板９の読取時よりも大きくなるように、ランプ点灯時間Ｔ１を定める。ステップ♯２２での読取時に比べ、読取制御部２０は合計光量を大きくする。基準板読取データ９０の画素の画素値が基準画素値９１よりも明るいラインでは、読取制御部２０は、１ラインの読取での合計光量が光量基準板９の読取時よりも小さくなるように、ランプ点灯時間Ｔ１を定める。ステップ♯２２での読取時に比べ、読取制御部２０は合計光量を小さくする。基準板読取データ９０の画素の画素値が基準画素値９１と同じラインでは、読取制御部２０は、ステップ♯２２での読取時と同じ合計光量となるように、ランプ点灯時間Ｔ１を定める。この場合、ランプ点灯時間Ｔ１は基準時間と等しくなる。
【００７９】
ランプ７に供給する電流値で１ライン中の合計光量を調整する場合、読取制御部２０は、各ラインでの電流値を示すデータを点灯パターンデータ９３として生成する。読取制御部２０は、基準板読取データ９０の画素ごとに対応する電流値を定める。読取制御部２０は、光量基準板９を読み取ったとき、基準板読取データ９０の各画素値が基準画素値９１となるように、各ラインの電流値を定める。この場合、原稿読取時、読取制御部２０は、ランプ点灯時間Ｔ１を基準時間とする。
【００８０】
変形例の調整用テーブル９２は、基準板読取データ９０の画素値に対応する電流値を定義したデータとなる。図１１のＣ１〜Ｃ４は対応する電流値を示す。読取制御部２０は、基準板読取データ９０の画素の画素値と、調整用テーブル９２に基づき、各ライン（各画素）の読み取り時にランプ７に供給する電流の電流値を定める。
【００８１】
基準板読取データ９０の画素の画素値が基準画素値９１よりも暗いラインでは、読取制御部２０は、１ラインの読取での合計光量が光量基準板９の読取時よりも大きくなるように、電流値を定める。ステップ♯２２での読取時に比べ、読取制御部２０は合計光量を大きくする。基準板読取データ９０の画素の画素値が基準画素値９１よりも明るいラインでは、読取制御部２０は、１ラインの読取での合計光量が光量基準板９の読取時よりも小さくなるように、電流値を定める。ステップ♯２２での読取時に比べ、読取制御部２０は合計光量を小さくする。基準板読取データ９０の画素の画素値が基準画素値９１と同じラインでは、読取制御部２０は、ステップ♯２２での読取時と同じ合計光量となるように、電流値を定める。この場合、電流値は基準電流値と等しくなる。
【００８２】
実際のテーブル読取のとき、読取制御部２０は、点灯パターンデータ９３に基づき、１ラインあたりのランプ７の合計光量を調整する。読取制御部２０は、各ラインにおいて、点灯パターンデータ９３で定義された時間、ランプ７を点灯させる。または、読取制御部２０は、点灯パターンデータ９３で定義された電流値をランプ７に供給する。
【００８３】
このようにして、実施形態及び変形例に係る画像読取装置（複合機１００）は、コンタクトガラス（テーブル読取用コンタクトガラス２ｂ）、ランプ７、キャリッジ２２、イメージセンサー７０、画像データ生成部８、移動機構２４（ベルト２４ａ、プーリー２４ｂ、プーリー２４ｃ、移動用モーター２４ｄ）、光量基準板９、読取制御部２０を含む。コンタクトガラスには、原稿がセットされる。ランプ７は、コンタクトガラスの一面にセットされた原稿に主走査方向に沿って光を照射する。キャリッジ２２はランプ７を含む。イメージセンサー７０は、原稿の反射光を受光して原稿を読み取る。画像データ生成部８は、イメージセンサー７０の出力に基づき画像データを生成する。移動機構２４は、コンタクトガラスの他面側でキャリッジ２２を副走査方向に移動する。光量基準板９は、コンタクトガラスの他面側に設けられる。読取制御部２０は、ランプ７の光量を調整する。光量基準板９は、コンタクトガラスの副走査方向の一方の端辺に沿って設けられる。光量基準板９は、主走査方向において、コンタクトガラスの一面の外側に設けられる。イメージセンサー７０は、読取範囲がコンタクトガラスの主走査方向の幅よりも広く、光量基準板９を読み取り可能である。画像データ生成部８は、光量基準板９の読み取りにより得られた画像データである基準板読取データ９０を生成する。読取制御部２０は、基準板読取データ９０の各画素の値が予め定められた基準画素値９１となるように、１ラインの読取でのランプ７の合計光量を調整する。
【００８４】
基準板読取データ９０に基づき、キャリッジ２２移動中にランプ７の周囲温度が変化しても、１ライン中の合計光量を一定又はほぼ一定で保つことができる。キャリッジ２２移動中のランプ７光量が安定するように、ランプ７の光量を調整することができる。キャリッジ２２移動中の光量変化に起因する濃度ムラを防ぐことができる。高画質の画像データを得ることができる。
【００８５】
読取制御部２０は、原稿読取と同時に光量基準板９をイメージセンサー７０に読み取らせてもよい。読取制御部２０は、１ラインごとに基準板読取データ９０の画素値を認識してもよい。読取制御部２０は、認識した画素値が基準画素値９１よりも暗いとき、１ラインの読取での合計光量を増やしてもよい。認識した画素値が基準画素値９１よりも明るい場合、読取制御部２０は、１ラインの読取での合計光量を減らしてもよい。原稿と同時に光量基準板９を読み取って得られた基準板読取データ９０に基づき、ランプ７の光量を調整することができる。現在のランプ７の周囲温度（温度状況）に応じた光量の調整を行うことができる。ランプ７の光量変化に即応して、１ラインの読取での合計光量を調整することができる。
【００８６】
また、読取制御部２０は、新たな原稿の読取を開始する前の読み取りで得られた基準板読取データ９０に基づき、各ラインでのランプ７の点灯パターンを定めた点灯パターンデータ９３を生成してもよい。読取制御部２０は、基準板読取データ９０の各画素の画素値が基準画素値９１となるように点灯パターンデータ９３を生成してもよい。点灯パターンデータ９３に基づき、読取制御部２０は、１ラインの読取での合計光量を調整する。以前の光量基準板９読取で得られた基準板読取データ９０に基づき、キャリッジ２２移動中のランプ７の光量を調整することができる。基準板読取データ９０の各画素値が基準画素値９１となるように、１ラインの読取での合計光量の調整を行うことができる。
【００８７】
読取制御部２０は、ランプ７に供給する電流の電流値を変化させることにより、１ラインの読取での合計光量を調整する。ランプ７に供給する電流の電流値を調整することにより、ランプ７光量と１ラインの読取での合計光量を調整することができる。
【００８８】
読取制御部２０は、ランプ７に一定の電流を供給し、１ライン中のランプ７の点灯時間を調整することにより、１ラインの読取での合計光量を調整する。１ライン中のランプ点灯時間Ｔ１を調整することにより、ランプ７光量と１ラインの読取での合計光量を調整することができる。
【００８９】
画像読取部２は、ランプ７を含む筐体２１を備える。画像読取装置（複合機１００）は、筐体２１の下方に設けられ、トナーを用いて印刷を行う印刷部６と、を含む。キャリッジ２２の移動空間（筐体２１）内の温度が印刷部６の熱により場所によって異なっても、キャリッジ２２移動中の光量を安定させることができる。キャリッジ２２を移動させて読み取るとき、１ラインの読取での合計光量を適切に調整することができる。
【００９０】
以上、本発明の実施形態について説明したが、本発明の範囲はこれに限定されるものではなく、発明の主旨を逸脱しない範囲で種々の変更を加えて実施することができる。
【産業上の利用可能性】
【００９１】
本発明は、画像読取装置（画像形成装置）に利用可能である。
【符号の説明】
【００９２】
１００  複合機（画像読取装置）
２ｂ    テーブル読取用コンタクトガラス（コンタクトガラス）
２０    読取制御部                      ２１    筐体
２２    キャリッジ                      ２４    移動機構
２４ａ  ベルト（移動機構）              ２４ｂ  プーリー（移動機構）
２４ｃ  プーリー（移動機構）            ２４ｄ  移動用モーター（移動機構）
６      印刷部                          ７      ランプ
７０    イメージセンサー                ８      画像データ生成部
９      光量基準板                      ９０    基準板読取データ
９１    基準画素値                      ９３    点灯パターンデータ
Ｔ１    ランプ点灯時間
【図１】
2019208186.tif 000003
【図２】
2019208186.tif 000004
【図３】
2019208186.tif 000005
【図４】
2019208186.tif 000006
【図５】
2019208186.tif 000007
【図６】
2019208186.tif 000008
【図７】
2019208186.tif 000009
【図８】
2019208186.tif 000010
【図９】
2019208186.tif 000011
【図１０】
2019208186.tif 000012
【図１１】
2019208186.tif 000013